(57)【要約】【課題】圧縮機の密閉ハウジングの外部領域に配置された電気的装置の組立体の問題を解決する。【解決手段】圧縮機の密閉ハウジングの外部領域における電気的装置組立体構造が開示されており、それにより、圧縮機の動作に必要な少なくとも１つの電気的装置をその内部に収容することができる絶縁箱は、前記絶縁箱と、圧縮機の密閉ハウジングに取り付けられたヒンジ要素との間の角運動によって圧縮機の密閉ハウジングの外部領域に結合される。【選択図】図６
2020084986.tif 000002
【特許請求の範囲】
【請求項１】
圧縮機の密閉ハウジングの外部領域における電気的装置組立体構造において、
圧縮機の動作に必要な少なくとも１つの電気的装置をその内部に収容することができる少なくとも１つの絶縁箱（１）であって、電気的装置の電気端子（３）にアクセスするための少なくとも開口部（１１）と、少なくとも１つのハウジング領域（１２）とを備える前記絶縁箱（１）と、
圧縮機の密閉ハウジング（４）の外部領域に固定され、圧縮機の密閉ハウジング（４）の内部領域と外部領域との間の電気的インターフェース（５）の電気端子（５１）に近接した少なくとも１つのヒンジ要素（２）であって、少なくとも１つの回動ハンドル（２２）を備える前記ヒンジ要素（２）とを備え、
前記絶縁箱（１）と前記ヒンジ要素（２）との間の角運動を可能にするために、絶縁箱（１）のハウジング領域（１２）およびヒンジ要素（２）の回動ハンドル（２２）が互いに協働することを特徴とする、電気的装置組立体構造。
【請求項２】
絶縁箱（１）とヒンジ要素（２）との間の角運動の終端が、電気的装置の電気端子（３）と、圧縮機の密閉ハウジング（４）の内部領域と外部領域との間の電気的インターフェース（５）の電気端子（５１）との間の電気的接続をもたらすことを特徴とする、請求項１に記載の組立体構造。
【請求項３】
ヒンジ要素（２）が孔（２１）を備え、圧縮機の密閉ハウジング（４）の内部領域と外部領域との間の電気的インターフェース（５）が、前記オリフィス（２１）の内部に配置されていることを特徴とする、請求項１に記載の組立体構造。
【請求項４】
絶縁箱（１）の電気的装置の電気端子（３）にアクセスするための開口部（１１）が、ヒンジ要素（２）の孔（２１）の形状および寸法に類似した形状および寸法を備えることを特徴とする、請求項１に記載の組立体構造。
【請求項５】
絶縁箱（１）および電気的インターフェース（５）の少なくとも１つのシール手段開口部（１１）をさらに提供することを特徴とする、請求項１に記載の組立体構造。
【請求項６】
シール手段がガスケット（６）を備え、
前記ガスケット（６）が、絶縁箱（１）の開口部（１１）の輪郭壁（１３）の接触面（１４）に存在するチャネルに収容されることを特徴とする、請求項５に記載の組立体構造。
【請求項７】
シール手段が、絶縁箱（１）の開口部（１１）の輪郭壁（１３）の接触面（１４）上に配置された輪郭リブ（７）とヒンジ要素（２）との間の物理的接触によって画定されることを特徴とする、請求項５に記載の組立体構造。
【請求項８】
ヒンジ要素（２）に関する絶縁箱（１）の位置の維持が、ヒンジ要素（２）のロックタブ（２３）と絶縁箱（１）の結合部（１５）との間の協働によって生じることを特徴とする、請求項１に記載の組立体構造。
【請求項９】
ヒンジ要素（２）のロックタブ（２３）と絶縁箱（１）の係合部（１５）との間の協働が、前記ロックタブ（２３）および前記係合領域（１５）を横断することができる固定要素（８）をさらに有することを特徴とする、請求項７に記載の組立体構造。
【発明の詳細な説明】
【技術分野】
【０００１】
本発明は、冷凍圧縮機の密閉ハウジングの外部領域における電気的装置組立体構造、好ましくは周波数インバータに関する。問題の本発明によれば、前記組立体構造は、一般的な目的として、圧縮機の密閉ハウジングの外部領域における電気的装置の迅速で単純化された安全な組み立てを可能にすることを目的とする。
【背景技術】
【０００２】
当業者にとってよく知られているように、密閉型圧縮機、特に冷凍システムで使用される密閉型圧縮機は、他の構成要素の内、少なくとも１つの電気モータを含む少なくとも１つの圧縮機構が密閉された密閉ハウジングを備える。この意味で、圧縮機の密閉ハウジングの内部領域と外部領域との間の電気的インターフェースが提供され、これは、通常、電気モータに通電する機能を有する。
【０００３】
いくつかの特定の場合において、電気モータは、電気的保護回路、始動回路、または周波数インバータ回路を含むことができる電気的装置によって通電される。これらの場合、この電気的装置は、圧縮機の密閉ハウジングの内部領域と外部領域との間の電気的インターフェースに近接して、圧縮機ハウジングの外部領域に結合されるのが一般的である。
【０００４】
一般的に言えば、現在の最新技術に関連する解決策は、機械的結合を使用している。
【０００５】
このシナリオでは、電気的装置は絶縁箱で密閉され、その電気端子のみが露出している。したがって、電気的装置の電気端子は、並進運動によって圧縮機の密閉ハウジングの内部領域と外部領域との間の電気的インターフェースに接続される。これは、この種の解決策（並進運動による電気端子の電気的接続を可能にする）が、接続される端子間の位置ずれを起こしやすいことを意味し、結局、電気的装置の電気端子は、前記電気的装置を保護する絶縁箱のために確認することが困難な位置にある。このように、手動で行われる場合、電気的装置の電気端子と、圧縮機の密閉ハウジングの内部領域と外部領域との間の電気的インターフェースとの間の結合は、大抵の場合、繰り返し試行する必要がある。さらに、この種の解決策は、圧縮機の密閉ハウジングの外部領域に絶縁箱を固定するためにネジを使用する必要がさらにあり、これは、絶縁箱の組み立てをさらに困難にする。
【０００６】
この種の解決策の例は、特許文献である国際公開第２０１６／１６７４０９号、国際公開第２０１２／０３５７６７号、国際公開第２０１４／１３６５７１号および国際公開第２０１０／１０１３９７号に見出すことができ、これらは、全て前述の特徴および問題に類似する特徴および問題を有する。
【０００７】
既に説明した内容に加えて、原則として、現在の最新技術に属する絶縁箱（通常は周波数インバータである電気的装置の密閉を可能にする）がいくつかの構造的窪みを備えることも観察され、これは、電気的装置を完全に絶縁せず、さらに、昆虫や湿気が侵入することを可能にし、電気的装置の劣化を促進する可能性がある。
【０００８】
このように、最新技術には、冷凍圧縮機の密閉ハウジングの外部領域に配置された電気的装置の組み立てを容易にし、昆虫に対するより大きな保護および物理的隔離も提供する解決策が欠けていることが明らかである。問題の本発明が生じるのは、このシナリオに基づいている。
【先行技術文献】
【特許文献】
【０００９】
【特許文献１】国際公開第２０１６／１６７４０９号
【特許文献２】国際公開第２０１２／０３５７６７号
【特許文献３】国際公開第２０１４／１３６５７１号
【特許文献４】国際公開第２０１０／１０１３９７号
【発明の概要】
【発明が解決しようとする課題】
【００１０】
したがって、本発明は、基本的に、圧縮機の密閉ハウジングの外部領域に配置された電気的装置の組立体の問題を解決することを目的とし、より大きな構造的堅牢性、より大きな保護および隔離を有し、また、昆虫の望ましくない侵入を防止する、効率的で安全な技術的解決策を促進する。
【課題を解決するための手段】
【００１１】
問題の本発明の全ての目的は、圧縮機の密閉ハウジングの外部領域における電気的装置組立体構造において、圧縮機の動作に必要である少なくとも１つの電気的装置をその内部に収容することができる少なくとも１つの絶縁箱と、圧縮機の密閉ハウジングの内部領域と外部領域との間の電気的インターフェースの電気端子に近接して、圧縮機の密閉ハウジングの外部領域に固定された少なくとも１つのヒンジ要素とを備える、電気的装置組立体構造によって達成される。
【００１２】
問題の本発明によれば、前記絶縁箱は、電気的装置の電気端子へのアクセスのための少なくとも開口部と、少なくとも１つのハウジング領域とを備える。前記ヒンジ要素は、少なくとも１つの回動ハンドルを備える。したがって、絶縁箱のハウジング領域およびヒンジ要素の回動ハンドルは、前記絶縁箱と前記ヒンジ要素との間の角運動を可能にするために互いに協働する。
【００１３】
したがって、絶縁箱とヒンジ要素との間の角運動の終端は、電気的装置の電気端子と、圧縮機の密閉ハウジングの内部領域と外部領域との間の電気的インターフェースの電気端子との間の電気的接続をもたらす。
【００１４】
本発明の好ましい実施形態によれば、ヒンジ要素は孔を備え、圧縮機の密閉ハウジングの内部領域と外部領域との間の電気的インターフェースは、前記孔の内部に配置される。絶縁箱の電気的装置の電気端子へのアクセス開口部は、ヒンジ要素の孔の形状および寸法に類似した形状および寸法を備える。
【００１５】
また、少なくとも１つのシール手段、絶縁箱の開口部、および電気的インターフェースが設けられる。
【００１６】
可能な実施形態として、シール手段は、絶縁箱の開口部の輪郭壁の接触面に存在するチャネルに収容されるガスケットを備える。
【００１７】
他の可能な実施形態では、シール手段は、絶縁箱の開口部の輪郭壁の接触面に配置された輪郭リブとヒンジ要素との間の物理的接触によって画定される。
【００１８】
好ましくは、ヒンジ要素に対する絶縁箱の位置の維持は、ヒンジ要素のロックタブと絶縁箱の係合部との間の協働によって維持され、必要に応じて、この協働はまた、前記ロックタブおよび前記係合領域を横断することができる固定要素も有する。
【００１９】
問題の本発明の好ましい実施形態は、列挙された図面に基づいて詳細に説明されるが、これらは、それにより問題の本発明の一般的な範囲から逸脱することなく適応および変更が行われることができるため、単に例示であり、限定するものではない。
【図面の簡単な説明】
【００２０】
【図１】本発明に係る電気的装置組立体構造を示している。
【図２】本発明に係るヒンジ要素を示している。
【図３】電気的装置組立体構造と係合するためのヒンジ要素の回動運動を静的な方法で示すことを意図している。
【図４】圧縮機の密閉ハウジングの外部領域に適切に結合された電気的装置組立体構造を拡大して詳細に示している。
【図５】図１に示されている電気的装置組立体構造と図２に示されているヒンジ要素との間の物理的な協働を示している（この図では、理解を容易にするために、圧縮機は示されていない）。
【図６】図１に示されている電気的装置組立体構造と図２に示されているヒンジ要素との間の物理的な協働を示している（この図では、理解を容易にするために、圧縮機は示されていない）。
【図７】本発明に係る電気的装置シール手段の可能な実施形態を示している。
【図８】電気的装置シール手段の可能な実施形態の詳細を拡大断面で示している。
【図９】本発明に係る電気的装置シール手段の可能な実施形態を示している。
【図１０】電気的装置シール手段の可能な実施形態の詳細を拡大断面で示している。
【発明を実施するための形態】
【００２１】
図に示されるように、本発明は、基本的に絶縁箱１とヒンジ要素２とによって一体化された、冷凍圧縮機の密閉ハウジングの外部領域における電気的装置組立体構造に関する。
【００２２】
絶縁箱１とヒンジ要素２との間の協働は、図３に示すように、回動運動によって生じるように、電気的装置の電気端子３（絶縁箱１の内部にある）と圧縮機の密閉ハウジング４において利用可能な電気端子５との間の電気的接続を可能にする。
【００２３】
図１に示されるように、電気的装置（図示せず）を密閉するのに特に適した絶縁箱１は、電気絶縁材料から構成され、電気的装置の電気端子３を露出するための専用の開口部１１、ヒンジ要素２の一部を収容するための専用のハウジング領域１２および、電気接地端子１４のためのハウジングクレードル１３を備える本体を備える。
【００２４】
前記開口部１１は、圧縮機の電気端子５を支持する電気的インターフェースに特に適した円形の輪郭を備える。
【００２５】
図２に示されるように、ヒンジ要素２は、孔２１、回動ハンドル２２、および接地タブ２３を備えた剛性プレートを備える。
【００２６】
絶縁箱１の開口部１１によって生じるように、ヒンジ要素２の孔２１もまた、円形の輪郭を備え、これは、圧縮機の電気端子５を支持する電気的インターフェースに特に適している。絶縁箱１のハウジング領域１２に収容されるのに適した回動ハンドル２２は、ヒンジ要素２と同じ全体平面に配置された延長部を備える。ハウジングクレードル１３（および電気接地端子１４）と協働するのに適した接地タブ２３は、ヒンジ要素２の全体平面に対して垂直な延長部を備える。
【００２７】
記述的な充足の目的のために、これに限定されるものではないが、好ましくは、冷凍システムに適した圧縮機は、内部にシリンダ−ピストン機構および電気モータによって基本的に一体化された機能的圧縮機構が配置された密閉ハウジング４を備える。前記圧縮機は、密閉ハウジング４の内部領域と外部領域との間に電気的インターフェースをさらに備え、前記電気的インターフェースは、密閉ハウジング４の内部に配置されたモータとの電気的接続を有する圧縮機の電気端子５を支持する。
【００２８】
図５および図６に示されるように、ヒンジ要素２は、その孔２１が電気的インターフェースの周りに収容されるように、密閉ハウジング４の外部領域に固定されることに留意されたい。この固定は水密であり、ヒンジ要素２および密閉ハウジング４は、それらの間のいかなる種類の相対運動も行わない。ヒンジ要素２の回動ハンドル２２は、絶縁箱１のハウジング領域１２に収容されている。このハウジングは、絶縁箱１が、ヒンジ要素２に関して、したがって密閉ハウジング４に関して、制御された角運動を生じさせることを可能にする。ヒンジ要素２の回動ハンドル２２と絶縁箱１のハウジング領域１２との間の嵌合の物理的な実施形態は、これらの２つの結合点間の角（および回動）運動を可能にする任意のものとすることができる。当然のことながら、ヒンジ要素２の回動ハンドル２２の長さおよび絶縁箱１のハウジング領域１２の配置は、絶縁箱１の内部に収容される電気的装置の電気端子３と圧縮機の電気端子５との間の最終結合位置において、それらが絶縁箱１の開口部１１と電気的インターフェースとの間の位置合わせを可能にするようなものである。
【００２９】
したがって、問題の本発明の利点の１つは、絶縁箱１内に収容される電気的装置の電気端子３と圧縮機の電気端子５との間を結合するための一種の運動量ガイド（角運動）を形成することであり、この移動ガイドは、ヒンジ要素２の回動ハンドル２２および絶縁箱１のハウジング領域１２の寸法および配置の詳細によって画定される。絶縁箱１と密閉ハウジング４との間の回動手段を画定するこの構造は、現在の最新技術を統合する解決策において以前に引用されて提示された全ての組立体問題を最適化することを確実に担う。
【００３０】
問題の本発明の他の利点は、図７、図８、図９および図１０に示されるように、絶縁箱１の開口部１１と電気的インターフェース５との間に存在するシール手段の可能性によって達成される。
【００３１】
図７および図８では、絶縁箱１の開口部１１と電気的インターフェースとの間のシール手段の可能性の１つは、絶縁箱１の開口部１１の接触領域と電気的インターフェース５との間のガスケット６の、好ましくはＯリングタイプの適用であることに留意されたい。この目的のために、絶縁箱１の開口部１１は、その接触面がガスケット６を保持するのに特に適したチャネルを有する輪郭壁を有する。終端位置−絶縁箱１内に収容される電気的装置の電気端子３と圧縮機の電気端子５との結合−では、ヒンジ要素２と接触するガスケット６は、絶縁箱１の内部への（例えば、昆虫などの）アクセスを防止する。
【００３２】
図９および図１０では、絶縁箱１の開口部１１と電気インターフェースとの間のシール手段の可能性の１つは、絶縁箱１の開口部１１が、その接触面がヒンジ要素２の孔２１の直径よりも僅かに小さい直径の輪郭リブ７を有する輪郭壁を有し、且つ終端位置−絶縁箱１内に収容される電気的装置の電気端子３と圧縮機の電気端子５との間の結合−では、ヒンジ要素２と組み合わされた輪郭リブ７が絶縁箱１の内部への（例えば、昆虫などの）アクセスを防止する「迷路」の概念の適用であることに留意されたい。
【００３３】
ヒンジ要素２に関する、したがって密閉ハウジング４に関する絶縁箱１の配置は、絶縁箱１のハウジングクレードル１３（およびその電気接地端子１４）とヒンジ要素２の接地タブ２３との協働により維持される。これらの要素間の物理的および電気的接続は、例えば金属ネジ８を挿入することによって最適化されることができる。
【００３４】
上記の説明は、問題の本発明の特定の実施形態を例示的に説明することのみを意図していることを強調することが重要である。したがって、同じ結果を達成するために、実質的に同じ方法で同じ機能を遂行する要素の変更、変形および構成的な組み合わせが、添付の特許請求の範囲によって定められる保護の範囲内にあることは明らかである。
【符号の説明】
【００３５】
１  絶縁箱
２  ヒンジ要素
３  電気端子
４  密閉ハウジング
５  電気的インターフェース
６  ガスケット
７  輪郭リブ
８  金属ネジ
１１  開口部
１２  ハウジング領域
１３  ハウジングクレードル
１４  電気接地端子
２１  孔
２２  回動ハンドル
２３  接地タブ
５１  電気端子
【図１】
2020084986.tif 000003
【図２】
2020084986.tif 000004
【図３】
2020084986.tif 000005
【図４】
2020084986.tif 000006
【図５】
2020084986.tif 000007
【図６】
2020084986.tif 000008
【図７】
2020084986.tif 000009
【図８】
2020084986.tif 000010
【図９】
2020084986.tif 000011
【図１０】
2020084986.tif 000012
【外国語明細書】
2020084986000001.pdf